【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
患者内に挿入可能で、第１の長手方向軸の周りで回転可能な細長状首部であって、少なくとも１つの超音波トランスデューサが前記細長状首部の遠位端部に接続される、細長状首部と、前記細長状首部の近位端部に接続され、前記第１の長手方向軸に平行であるとともに前記第１の長手方向軸からオフセットされている第２の長手方向軸の周りで回転可能な細長状本体であって、前記細長状本体はプローブ取り付け構造に装着されていて、取り外し可能である、前記細長状本体とを備える、超音波プローブと、
前記細長状本体の近位端部に配置され、前記プローブ取り付け構造の近位端部に装着されるシャフトであって、前記シャフトの回転は、前記プローブ取り付け構造及び前記超音波プローブの装着された前記細長状本体の、前記第２の長手方向軸の周りでの所望の位置への対応する回転を引き起こし、前記シャフトは、前記シャフトの内側部分の長手方向シャフトチャンネルと前記シャフトの表面から前記長手方向シャフトチャンネルに延在する長手方向シャフト溝とを画定する、前記シャフトと、
前記少なくとも１つの超音波トランスデューサへの電気的接続を提供するための少なくとも１つのケーブルであって、前記少なくとも１つのケーブルは、前記長手方向シャフト溝を通って前記長手方向シャフトチャンネルに挿入可能であり、前記長手方向シャフトチャンネルを通って前記超音波プローブの内部チャンネルに進入し、前記少なくとも１つの超音波トランスデューサとの電気的接続を可能にする、前記少なくとも１つのケーブルと
を備える、デバイス。
【請求項２】
前記少なくとも１つの超音波トランスデューサは、超音波トランスデューサアレイを備える、請求項１に記載のデバイス。
【請求項３】
前記シャフトは、前記細長状首部の前記第１の長手方向軸に平行であるとともに前記第１の長手方向軸と長手方向に位置整合している第３の長手方向軸の周りで回転可能である、請求項１に記載のデバイス。
【請求項４】
前記シャフトを収容するシャフトハウジングであって、前記シャフトは前記シャフトハウジング内で前記第３の長手方向軸の周りで回転可能であり、前記シャフトハウジングは、前記シャフトにおける前記長手方向シャフト溝と位置整合可能な長手方向ハウジング溝を画定し、前記長手方向シャフト溝内への前記少なくとも１つのケーブルの設置を可能にする、前記シャフトハウジングを更に備える、請求項３に記載のデバイス。
【請求項５】
前記シャフトハウジングを収容するとともに前記シャフトハウジング内の前記シャフトに接続され、前記シャフトの滑動を防止するハンドルであって、前記ハンドルの回転は、前記シャフトの、前記シャフトの前記第３の長手方向軸の周りでの対応する回転を引き起こす、前記ハンドルを更に備え、
前記ハンドルは、前記長手方向ハウジング溝と位置整合可能であるとともに前記長手方向シャフト溝と位置整合する長手方向ハンドル溝を画定し、前記長手方向シャフト溝内への前記少なくとも１つのケーブルの設置を可能にする、請求項４に記載のデバイス。
【請求項６】
前記プローブ取り付け構造は、前記超音波プローブの前記細長状本体を受ける支持体と、前記細長状本体が前記プローブ取り付け構造に対して固定的な位置にあるように前記細長状本体を前記支持体内に機械的に固定するクランプとを備える、請求項１に記載のデバイス。
【請求項７】
前記プローブ取り付け構造は、前記プローブ取り付け構造の前記近位端部にフランジを更に備え、前記シャフトは前記フランジに装着されている、請求項６に記載のデバイス。
【請求項８】
シャフトハウジングとグリッド穴のアレイを備えるグリッド板との間に接続されたベース部であって、少なくとも１つのニードルが前記グリッド穴のアレイのうちの少なくとも１つの穴を通って誘導される、前記ベース部を更に備える、請求項７に記載のデバイス。
【請求項９】
前記ベース部は、
前記シャフトハウジングと前記グリッド板との間に配置される長手方向並進デバイスであって、前記シャフトハウジングと、前記シャフトハウジング内に収容された前記シャフトと、前記シャフトに装着された前記プローブ取り付け構造と、前記プローブ取り付け構造に固定された前記超音波プローブの前記細長状本体との、前記グリッド板に向かう一体的な移動及び前記グリッド板から離間する一体的な移動を可能にする、前記長手方向並進デバイスを備え、前記長手方向並進デバイスは、
前記ベース部における少なくとも１つの長手方向ボアと、
少なくとも１つのロッドの近位端部に前記シャフトハウジングが装着される当該少なくとも１つのロッドであって、前記ベース部内の前記少なくとも１つの長手方向ボアを通って長手方向に移動する前記少なくとも１つのロッドとを備える、請求項８に記載のデバイス。
【請求項１０】
超音波プローブの遠位端部に接続された少なくとも１つの超音波トランスデューサと、前記少なくとも１つの超音波トランスデューサへの電気的接続を提供するための、前記超音波プローブの近位端部に装着されたケーブルとを備える、前記超音波プローブと、
前記超音波プローブが装着されたプローブ取り付け構造と、
前記プローブ取り付け構造の近位端部に接続されたシャフトであって、前記シャフトは、前記シャフトの内側部分の長手方向シャフトチャンネルと前記シャフトの表面から前記長手方向シャフトチャンネルに延在する長手方向シャフト溝とを画定し、前記長手方向シャフトチャンネル内への前記ケーブルの設置を可能にする、前記シャフトと
を備える、超音波プローブであって、
前記シャフトの回転は、前記少なくとも１つの超音波トランスデューサを所望の角度に位置決めするように、前記プローブ取り付け構造及び前記プローブ取り付け構造に装着された前記超音波プローブの対応する回転を引き起こす一方で、前記ケーブルは前記長手方向シャフトチャンネル内に維持され、
前記超音波プローブは、
第１の長手方向軸の周りで回転可能な細長状首部であって、前記少なくとも１つの超音波トランスデューサが前記細長状首部の遠位端部に接続される、前記細長状首部と、
前記細長状首部の近位端部に接続され、前記第１の長手方向軸に平行であるとともに前記第１の長手方向軸からオフセットされている第２の長手方向軸の周りで回転可能な細長状本体と
を更に備える、経会陰ステッパ。
【請求項１１】
前記シャフトの回転は、前記プローブ取り付け構造及び前記超音波プローブの前記細長状本体の、前記第２の長手方向軸の周りでの対応する回転を引き起こし、前記細長状本体の回転は、前記少なくとも１つの超音波トランスデューサを前記所望の角度に位置決めするように、前記細長状首部の、前記第１の長手方向軸の周りでの対応する回転を引き起こす、請求項１０に記載の経会陰ステッパ。
【請求項１２】
前記シャフトは、前記細長状首部の前記第１の長手方向軸に平行であるとともに前記第１の長手方向軸と長手方向に位置整合している第３の長手方向軸の周りで回転可能である、請求項１１に記載の経会陰ステッパ。
【請求項１３】
前記シャフトを収容するシャフトハウジングであって、前記シャフトは前記シャフトハウジング内で前記第３の長手方向軸の周りで回転可能であり、前記シャフトハウジングは、前記シャフトにおける前記長手方向シャフト溝と位置整合可能な長手方向ハウジング溝を画定し、前記長手方向シャフト溝内への前記ケーブルの設置を可能にする、シャフトハウジングを更に備える、請求項１２に記載の経会陰ステッパ。
【請求項１４】
前記シャフトハウジングを収容するとともに前記シャフトに接続されるハンドルであって、前記ハンドルの回転は、前記シャフトの、前記シャフトハウジング内での前記第３の長手方向軸の周りでの対応する回転を引き起こす、前記ハンドルを更に備える、請求項１３に記載の経会陰ステッパ。
【請求項１５】
ベース部と、
前記ベース部における少なくとも１つの長手方向ボア、及び、少なくとも１つのロッドの近位端部に前記シャフトハウジングが装着される当該少なくとも１つのロッドであって、前記ベース部内の前記少なくとも１つの長手方向ボアを通って長手方向に移動する前記少なくとも１つのロッドを備える長手方向並進デバイスであって、前記シャフトハウジングと、前記シャフトハウジング内に収容された前記シャフトと、前記シャフトに装着された前記プローブ取り付け構造と、前記プローブ取り付け構造に固定された前記超音波プローブとの一体的な長手方向の移動を可能にする前記長手方向並進デバイスとを更に備え、
グリッド板が前記ベース部の遠位端部に接続され、前記グリッド板はグリッド穴のアレイを備え、少なくとも１つのニードルが、前記少なくとも１つの超音波トランスデューサの動作中に前記グリッド穴のアレイのうちの少なくとも１つの穴を通って誘導される、請求項１３に記載の経会陰ステッパ。